(57)【要約】      （修正有）【課題】持ち運びが容易で、いつでもどこでも誰でも簡単かつ正確に、自分で指輪のサイズを測れる計測器を提供する。【解決手段】指に巻きつけられるように横長で、一方の端部から数値が徐々に小さくなるように目盛りがついた調整部と、調整部の他方の端部に接続された、調整部の一方の端部を通して輪を作る為に切り込みが設けられたサイズ計測部とを備えた指輪のサイズ計測器であって、調整部とサイズ計測部とは、帯状の紙類または樹脂類の素材からなる。【選択図】図１
2015081917.tif 000002
【特許請求の範囲】
【請求項１】
指に巻きつけられるように横長で、一方の端部から数値が徐々に小さくなるように目盛りがついた調整部と、前記調整部の他方の端部に接続された、前期調整部の一方の端部を通して輪を作る為に切り込みが設けられたサイズ計測部とを備えた事を特徴とした指輪のサイズ計測器。
【請求項２】
前記調整部と前記サイズ計測部とは、帯状の紙類または樹脂類の素材を有してなる事を特徴とした請求項１記載の指輪のサイズ計測器。
【発明の詳細な説明】
【技術分野】
【０００１】本発明は、指輪のサイズを簡単かつ正確に測れる計測器の技術に関する。
【背景技術】
【０００２】従来の技術において指輪のサイズを正確に計測できる計測器は、ＪＩＳ規格に基づいて作られたサイズごとの輪の集合体であるリングゲージであり、特許文献１または特許文献２には、サイズごとの輪をひとつひとつ指に入れて、ちょうど良いサイズがわかるまで繰り返し着脱を行う方法が開示されている。
また、自分のサイズよりも小さめの輪を装着した場合、指から抜けなくなる事があるが、特許文献２には、切り込み誘導構造を利用し、切り裂いてゲージ孔の周縁を開放することでの解決策が開示されている。
【先行技術文献】
【特許文献】
【０００３】
【特許文献１】実用新案登録  第３０１８３９９号
【特許文献２】実用新案登録  第３１６４０９３号
【非特許文献】
【０００４】
【非特許文献１】ＪＩＳ  ジュエリー用指輪のサイズ  ＩＳＯ８６５３：１９８６
【非特許文献２】ＪＩＳ  ジュエリー用指輪のサイズ  Ｓ４７００：１９９８
【発明の概要】
【発明が解決しようとする課題】
【０００５】従来の技術において指輪のサイズを正確に計測できる計測器は、ＪＩＳ規格に基づいて作られたサイズごとの輪の集合体であるリングゲージを使って計測するため、サイズごとの輪をひとつひとつ指に入れて、ちょうど良いサイズがわかるまで繰り返し着脱を行う必要があり不便である。さらに、自分のサイズよりも小さめの輪を装着した場合、指から抜けなくなる事もあるが、特許文献２には、切り込み誘導構造を利用し、切り裂いてゲージ孔の周縁を開放することでの解決策が開示されている。しかし、切り裂いた輪は繰り返し使う事が出来ず不便である。【０００６】従来の技術の計測器では、サイズを計測する為には、輪の集合体であるリングゲージを購入するか、わざわざ宝石店等に行って計測してもらう必要があり非常に不便である。
また、従来のリングゲージは嵩張るため、収納の際、小物入れ程度のスペースが必要であり、持ち運ぶにも不便である。【０００７】従来の計測器を使わない他の計測法として、糸や紙を指に巻きつけ、フェルトマーカー等で印を付けることにより指の周径を測定し、該周径から適切な指輪のサイズを導き出す方法があるが、特許文献２には、この方法では、糸等を指に巻く際に生じるねじれや力加減等によって指の周径の測定値に誤差が生じ、正確な指輪のサイズの測定が困難な上、非常に手間がかかる事が開示されている。しかも、この方法では糸等の両端を引っ張る際に両手が塞がる為、糸等を自分ひとりで固定しつつマーカー等で印を付けるのは非常に困難で、別の人に手伝ってもらう必要があり非常に不便である。さらに、このやり方では糸等の他に定規や印を付ける為のマーカー等を準備しなくてはならず不便である。【０００８】そこで本発明の技術が適用された計測器では、入手や持ち運びも着脱も容易で、いつでもどこでも誰でも安全かつ簡単かつ正確に、繰り返し何度でも、自分で指輪のサイズを計測出来る事を目的とする。
【課題を解決するための手段】
【０００９】指に巻きつけられるように横長で、一方の端部から数値が徐々に小さくなるように目盛りがついた調整部と、前記調整部の他方の端部に接続された前期調整部の一方の端部を通して輪を作る為に切り込みが設けられたサイズ計測部とを備えた事を特徴とした指輪のサイズ計測器。【００１０】前記調整部と前記サイズ計測部とは、帯状の紙類または樹脂類の素材を有してなる事を特徴とした請求項１記載の指輪のサイズ計測器。
【発明の効果】
【００１１】本発明の技術が適用された計測器では、入手や持ち運びも着脱も容易で、いつでもどこでも誰でも安全かつ簡単かつ正確に、繰り返し何度でも、自分で指輪のサイズを計測出来る。
【図面の簡単な説明】
【００１２】
【図１】本発明のサイズ計測器の構成図である。
【図２】一方の端部を裏から切り込みを通して輪を作ったサイズ計測器の構成図である。
【図３】サイズ計測器の輪のなかに計測する指を通したサイズ計測器の構成図である。
【図４】一方の端部を引っ張って、輪を縮めているサイズ計測器の構成図である。
【図５】輪と指の隙間がなくなり、ちょうど良くピッタリ密着した所で、サイズ計測線が指輪のサイズを示したサイズ計測器の構成図である。
【発明を実施するための形態】
【００１３】以下に、本発明の計測器を図示の実施例を参照して説明する。
ここで図１は帯状に伸びた状態の計測器であり、計測器の一方の端部図１の１を切り込み部図１の３に裏側から通して輪図２の５を作る。
前記の輪図２の５にサイズを計測する指図３の６を通し、一方の端部図４の１ｂをひっぱって輪図４の５ａを縮め、輪図５の５ｂと指図５の６ａの隙間がなくちょうどピッタリに密着した時に、サイズ計測線図５の３ｂと重なった目盛り図５の７の横に示されたサイズ数値図５の８が指輪のサイズとなる技術的手段を講じている。
【００１４】本発明の指輪のサイズ計測器図１は、図示のように一方の端部から徐々に小さくなるように目盛りが付いている。本発明の計測器に記されたサイズの目盛りについて、従来から認知されたサイズは、ＪＩＳ規格ジュエリー用指輪のサイズＳ４７００：１９９８を基準に、それより小さいサイズは既知の成人女性の小指サイズに相当するサイズを参考に、さらにそれより小さいサイズは赤ちゃんの最も細い指でも対応できるよう円周１５．６ｍｍまで独自に開発したサイズ規格が記されている。
【００１５】サイズ表記は１番を＃１と表記し、ＪＩＳ規格にない小さいサイズを次の通り規格化する。
＃０サイズは円周３９．７ｍｍ、直径１２．６６ｍｍ、
＃−１サイズは円周３８．７ｍｍ、直径１２．３３ｍｍ、
＃−２サイズは、円周３７．７ｍｍｍ、直径１２ｍｍ、
＃−３サイズは円周３６．６ｍｍ、直径１１．６６ｍｍ
＃−４サイズは円周３５．６ｍｍ  直径１１．３３ｍｍ
＃−５サイズは円周３４．５ｍｍ  直径１１ｍｍ
＃−６サイズは円周３３．５ｍｍ、直径１０．６６ｍｍ、
＃−７サイズは円周３２．４ｍｍ、直１０．３３ｍｍ、
＃−８サイズは、円周３１．４ｍｍｍ、直径１０ｍｍ、
＃−９サイズは円周３０．３ｍｍ、直径９．６６ｍｍ
＃−１０サイズは円周２９．３ｍｍ  直径９．３３ｍｍ
＃−１１サイズは円周２８．２ｍｍ  直径９ｍｍ
＃−１２サイズは円周２７．２ｍｍ  直径８．６６ｍｍ
＃−１３サイズは円周２６．１ｍｍ  直径８．３３ｍｍ
＃−１４サイズは円周２５．１ｍｍ  直径８ｍｍ
＃−１５サイズは円周２４ｍｍ  直径７．６６ｍｍ
＃−１６サイズは円周２３ｍｍ  直径７．３３ｍｍ
＃−１７サイズは円周２１．９ｍｍ  直径７ｍｍ
＃−１８サイズは円周２０．９ｍｍ  直径６．６６ｍｍ
＃−１９サイズは円周１９．８ｍｍ  直径６．３３ｍｍ
＃−２０サイズは円周１８．８ｍｍ  直径６ｍｍ
＃−２１サイズは円周１７．７ｍｍ  直径５．６６ｍｍ
＃−２２サイズは円周１６．７ｍｍ  直径５．３３ｍｍ
＃−２３サイズは円周１５．６ｍｍ  直径５ｍｍ
【００１６】本発明の指輪のサイズ計測器は、計測線と重なった目盛りが見やすいように計測線の回りや全体を透明な素材にしても良い。または目盛り横のサイズ数値が見やすいように、計測線と重なり、サイズ数値が隠れて見えにくくなる部分をくり抜き、サイズ数値がしっかり見えるようにしても良い。
【００１７】また、計測器の形状は、輪に指を通して輪と指が密着するまで縮められる仕組みであれば、帯状でなくはじめから輪が作られた形状でも良い。さらに一方の端部が切り込みから抜けないように前記端部に切り込み線より幅または厚みを設けたストッパーを付けても良い。
【００１８】本発明の技術が適用された計測器を使う事で、従来の輪の集合体であるリングゲージや、簡易計測時の糸や紙などの紐やペン、定規が不要になり、ひとつの計測器で赤ちゃんから大人までいつでもどこでも誰でも簡単に指輪のサイズを正確に計測できるようになる。
輪の集合体ではないので収納場所は小さなスペースでも隙間などでも良くなる。それによって、持ち運ぶ際も財布やカバン、ポケットなどに携帯でき、いつでも誰でも気軽に持ち歩く事ができるようになる。書籍にはさんで栞の変わりに使用しても良い。
【００１９】計測器のスペースに丸や三角などのくり抜きを作り、テンプレート定規として使えるようにしても良い。長さを測る道具としても使えるように、目盛りがついた調整部の横スペースに別の長さの単位表示があっても良い。
【００２０】調整部の輪を緩めれば誰でも簡単に指からはずせるので、指から輪が抜けなくなる事態をさける事ができる。これによって破壊せずに外せるので何度でも繰り返し使用する事が出来る。
【００２１】指輪販売店が指輪の販促品として、指輪購入前の一般消費者への無料プレゼントや、パンフレットや雑誌などに計測器のフォームを付けて配布しても良い。計測が不便でリングの購入をためらっていた潜在客への需要喚起にも繋げられる。また、インターネットに掲載し、顧客や潜在顧客が印刷して使えるようにしても良い。その際、同業者等が許可なく無断で利用する事は禁止する。本発明の技術が適用された計測器を使えば、幾重にも不便であった従来の計測から解放され指輪のサイズ計測が便利になる。
【００２２】サイズ計測器の素材をマイクロファイバー製等にして、携帯電話等の液晶画面クリーナーとしても使えるようにしても良い。
【００２３】サイズ計測器の素材は、伸縮せずに計測できるように紙類または樹脂類等であればより良い。
【図面にある符号の説明】
【００２４】１  計測器の一方の端部。端部を切り込みの裏から通して輪を作る。
１ａ  計測器のサイズ調整部。目盛りとサイズの数値が正確な位置に記されている。
１ｂ  輪を縮める際に引っ張る為に持つ所。
１ｃ  輪を縮める際に持って引っ張る所。
２  サイズ調整部と切り込み部とが接続する他方の端部
３  輪を作る為に計測器の一方の端部を裏から通す切り込み。
３ａ  サイズ計測線。
３ｂ  目盛りと重なったサイズ計測線。
４  計測器の末端部。
５  指を通してサイズを計測するための輪。
５ａ  １ｃを引っ張った際に縮む輪。
５ｂ  指と隙間なくちょうど良く密着した輪
６  サイズを計測する指。
６ａ  輪と隙間なくちょうど良く密着した指。
７  サイズ計測線と重なった目盛り
８  サイズ計測線と重なった目盛り横にあるサイズ数値。
2015081917.tif 000003
【図３】
2015081917.tif 000004
【図４】
2015081917.tif 000005
【図５】
2015081917.tif 000006
【手続補正書】
【提出日】平成25年12月6日(2013.12.6)
【手続補正３】
【補正対象書類名】図面
【補正対象項目名】全図
【補正方法】変更
【補正の内容】
【図１】
2015081917.tif 000007
【図２】
2015081917.tif 000008
【図３】
2015081917.tif 000009
【図４】
2015081917.tif 000010
【図５】
2015081917.tif 000011
【手続補正書】
【提出日】平成25年12月9日(2013.12.9)
【手続補正１】
【補正対象書類名】特許請求の範囲
【補正対象項目名】請求項１
【補正方法】変更
【補正の内容】
【請求項１】
指に巻きつけられるように横長で、一方の端部から数値が徐々に小さくなるように目盛りがついた調整部と、前記調整部の他方の端部に接続された、前記調整部の一方の端部を通して輪を作る為に切り込みが設けられたサイズ計測部とを備えた事を特徴とした指輪のサイズ計測器。
【手続補正２】
【補正対象書類名】明細書
【補正対象項目名】００１８
【補正方法】変更
【補正の内容】
【００１８】
本発明の技術が適用された計測器を使う事で、従来の輪の集合体であるリングゲージや、簡易計測時の糸や紙などの紐やペン、定規が不要になり、ひとつの計測器で赤ちゃんから大人までいつでもどこでも誰でも簡単に指輪のサイズを正確に計測できるようになる。輪の集合体ではないので収納場所は小さなスペースでも隙間などでも良くなる。それによって、持ち運ぶ際も財布やカバン、ポケットなどに携帯でき、いつでも誰でも気軽に持ち歩く事ができるようになる。書籍にはさんで栞の代わりに使用しても良い。